(57)【要約】【課題】作業の効率性の向上を図り、作業員の負担軽減を図ること。【解決手段】作業場区画装置は、第１の巻取部材１０１と第２の巻取部材１０２とを近接させ、第１の巻取部材１０１および第２の巻取部材１０２が巻き取ることによって、作業場区画に関する情報を示す幕部材２０１を格納し、第２の巻取部材１０２を設備の柱に引っ掛けてから、操作棒１０３を移動させて、第１の巻取部材１０１と第２の巻取部材１０２とを離間させることによって、第１の巻取部材１０１と第２の巻取部材１０２に巻き取られた幕部材２０１を、第１の巻取部材１０１と第２の巻取部材１０２との間に露出させる。そして、第１の巻取部材１０１も設備の柱に引っ掛ける。その後、操作棒１０３は取り外す。これにより、高所への作業場区画の取り付けおよび取り外しを簡易にかつ効率的におこなうことができる。【選択図】図２
2020172762.tif 000002
【特許請求の範囲】
【請求項１】
作業場区画に関する情報を示す幕部材と、
前記幕部材の一端を巻き取る第１の巻取部材と、
前記幕部材の他端を巻き取る第２の巻取部材と、
一端を作業員が把持し、他端で、前記第１の巻取部材および前記第２の巻取部材の少なくともいずれかを支持する支持部材と、
を備え、
前記第１の巻取部材と、前記第２の巻取部材とは、
前記第１の巻取部材と前記第２の巻取部材とを近接させ、前記第１の巻取部材および前記第２の巻取部材の少なくともいずれかが巻き取ることによって、前記幕部材を格納し、
前記支持部材を移動させて、前記第１の巻取部材と前記第２の巻取部材とを離間させることによって、前記第１の巻取部材と前記第２の巻取部材の少なくともいずれかに巻き取られた前記幕部材を、前記第１の巻取部材と前記第２の巻取部材との間に露出させることを特徴とする作業場区画装置。
【請求項２】
前記第１の巻取部材および前記第２の巻取部材の少なくともいずれかに、設備の所定箇所に自部材を保持する取付部材を備えたことを特徴とする請求項１に記載の作業場区画装置。
【請求項３】
前記第１の巻取部材および前記第２の巻取部材の少なくともいずれかに、前記幕部材または自装置の周辺を照らす照明部材を備えたことを特徴とする請求項１または２に記載の作業場区画装置。
【請求項４】
前記第１の巻取部材と前記第２の巻取部材とを着脱可能に一体化する一体化機構を備えたことを特徴とする請求項１〜３のいずれか一つに記載の作業場区画装置。
【請求項５】
前記支持部材は、両端の長手方向の長さを可変に調整する調整機構を備えたことを特徴とする請求項１〜４のいずれか一つに記載の作業場区画装置。
【請求項６】
前記支持部材は、前記第１の巻取部材および前記第２の巻取部材の少なくともいずれかと着脱可能に固定されていることを特徴とする請求項１〜５のいずれか一つに記載の作業場区画装置。
【発明の詳細な説明】
【技術分野】
【０００１】
この発明は、作業場を区画する作業場区画装置に関する。
【背景技術】
【０００２】
従来、発変電所や開閉所などの構内における作業場（あるいは現場）では、停電箇所および充電箇所を錯覚したり、誤認したりすることによる災害の防止や、作業員の安全の確保の観点から、作業場区画テープや作業場区画ネットにより、立入禁止区域を区画することが従来よりおこなわれている。
【０００３】
この作業場区画テープや作業場区画ネットは、停電中の作業場所に対して、充電中、すなわち、停電していない区画への立ち入りを禁止するための区画であり、地上付近に設けられることが多い。作業員は、この区画を確認して、立ち入り禁止のエリアを把握することができる。
【０００４】
しかしながら、地上付近に設けられた作業場区画テープや作業場区画ネットでは、クレーンなどの重機を用いた作業をおこなう際、立入禁止区域を把握しづらいことがあり、安全確保のためにも、高所において、作業場区画テープや作業場区画ネットを設けるべきとの要望が多い。したがって、必要に応じて、高所へ作業員が登って、電気絶縁性に優れたロープなどを使用し、立入禁止区域の区画をおこなう場合があった。
【０００５】
関連する技術として、具体的には、従来、たとえば、横長状の帯状部材、この帯状部材を複数の領域に区画する複数の線状の区画部材と、これら複数の領域それぞれに取り付けられる複数の板状のフック部材と、複数の領域それぞれに取り付けられる複数の板状の錘部材と、を備え、帯状部材が、複数の区画部材を折線として、収納時に、絡むことなく迅速に折り畳むことができて、かつ、コンパクトに収納できる簡易取り付け区画表示ネットに関する技術がある（たとえば、下記特許文献１を参照。）。
【０００６】
また、関連する技術として、具体的には、従来、たとえば、紅白ネットの右側辺の上端および下端に取り付けられた上側および下側フックと、紅白ネットの左側辺が固定されたネット付支持杭と、上側および下側フックを引っ掛けて紅白ネットをネット付支持杭との間で張るための支持杭とを備え、ネット付支持杭が、ネット付支持杭を手動で転がして紅白ネットを巻けるように上側および下側円板を備える。上側および下側円板は、紅白ネットを収納した際に上側および下側フックを引っ掛けるための第１および第２の上側および下側フック引掛ピンを備える作業場区画ネットに関する技術がある（たとえば、下記特許文献２を参照。）。
【０００７】
また、関連する技術として、具体的には、従来、たとえば、作業場を区画するために張設する、網地を無結節網にて編成するとともに、網地は張設状態から取り外した際に太径ロープ状に復元する剛性を備えている作業場区画ネットに関する技術がある（たとえば、下記特許文献３を参照。）。
【先行技術文献】
【特許文献】
【０００８】
【特許文献１】特開２０１１−１７４３４５号公報
【特許文献２】特開２０１３−６４２８４号公報
【特許文献３】特開２０００−９６４０２号公報
【発明の概要】
【発明が解決しようとする課題】
【０００９】
しかしながら、関連する先行技術は、いずれも、地上付近に設ける作業場区画ネットであって、高所に設置するものではなく、高所に設置する際の工夫もなされていないため、高所に設置することはできない。
【００１０】
また、作業場区画を高所に設ける場合には、作業場区画を取り付ける作業員が、高所へ登る必要があるため、安全性を確保するための胴綱を装備するなど、その取り付け作業が煩雑であり、また、墜落や充電部に近づき感電する虞れがある。ネットなどであれば高所に取り付けることがむずかしい。また、区画作業時は、２人以上の作業員でおこなう必要があるため、煩雑であり、かつ、作業効率がよくないという問題点がある。
【００１１】
また、作業場区画を高所に設ける場合に、クレーン等大型の重機を使用する際，機器が区画を超えてしまい，誤認により充電部へ近づくおそれがある。
【００１２】
この発明は、上述した従来技術による問題点を解消するため、高所への作業場区画の取り付けおよび取り外しを簡易にかつ効率的におこなうことにより、作業の効率性の向上を図り、作業員の負担軽減を図ることを目的とする。
【課題を解決するための手段】
【００１３】
上述した課題を解決し、目的を達成するため、この発明にかかる作業場区画装置は、作業場区画に関する情報を示す幕部材と、前記幕部材の一端を巻き取る第１の巻取部材と、前記幕部材の他端を巻き取る第２の巻取部材と、一端を作業員が把持し、他端で、前記第１の巻取部材および前記第２の巻取部材の少なくともいずれかを支持する支持部材と、を備え、前記第１の巻取部材と、前記第２の巻取部材とが、前記第１の巻取部材と前記第２の巻取部材とを近接させ、前記第１の巻取部材および前記第２の巻取部材の少なくともいずれかが巻き取ることによって、前記幕部材を格納し、前記支持部材を移動させて、前記第１の巻取部材と前記第２の巻取部材とを離間させることによって、前記第１の巻取部材と前記第２の巻取部材の少なくともいずれかに巻き取られた前記幕部材を、前記第１の巻取部材と前記第２の巻取部材との間に露出させることを特徴とする。
【００１４】
また、この発明にかかる作業場区画装置は、上記の発明において、前記第１の巻取部材および前記第２の巻取部材の少なくともいずれかに、設備の所定箇所に自部材を保持する取付部材を備えたことを特徴とする。
【００１５】
また、この発明にかかる作業場区画装置は、上記の発明において、前記第１の巻取部材および前記第２の巻取部材の少なくともいずれかに、前記幕部材または自装置の周辺を照らす照明部材を備えたことを特徴とする。
【００１６】
また、この発明にかかる作業場区画装置は、上記の発明において、前記第１の巻取部材と前記第２の巻取部材とを着脱可能に一体化する一体化機構を備えたことを特徴とする。
【００１７】
また、この発明にかかる作業場区画装置は、上記の発明において、前記支持部材が、両端の長手方向の長さを可変に調整する調整機構を備えたことを特徴とする。
【００１８】
また、この発明にかかる作業場区画装置は、上記の発明において、前記支持部材が、前記第１の巻取部材および前記第２の巻取部材の少なくともいずれかと着脱可能に固定されていることを特徴とする。
【発明の効果】
【００１９】
この発明にかかる作業場区画装置によれば、高所への作業場区画の取り付けおよび取り外しを簡易にかつ効率的におこなうことにより、作業の効率性の向上を図り、作業員の負担軽減を図ることができるという効果を奏する。また、高所に作業場区画を取り付けることにより、クレーンなどの重機の作業の安全性を確保することができる。
【図面の簡単な説明】
【００２０】
【図１】この発明にかかる実施の形態の作業場区画装置の構成の一例を示す説明図（その１）である。
【図２】この発明にかかる実施の形態の作業場区画装置の構成の一例を示す説明図（その２）である。
【図３】一体化機構の構成の一例を示す説明図である。
【図４】この発明にかかる実施の形態の作業場区画装置の取り付け作業の手順の一例を示す説明図（その１）である。
【図５】この発明にかかる実施の形態の作業場区画装置の取り付け作業の手順の一例を示す説明図（その２）である。
【図６】この発明にかかる実施の形態の作業場区画装置の取り付け作業の手順の一例を示す説明図（その３）である。
【発明を実施するための形態】
【００２１】
以下に添付図面を参照して、この発明にかかる作業場区画装置の好適な実施の形態を詳細に説明する。
【００２２】
（作業場区画装置の構成）
まず、この発明にかかる実施の形態の作業場区画装置の構成について説明する。図１および図２は、この発明にかかる実施の形態の作業場区画装置の構成の一例を示す説明図（その１）である。
【００２３】
図１は、幕部材２０１が巻き取られて格納されている状態を示しており、また、図２は、幕部材２０１が露出している状態を示している。図１および図２において、作業場区画装置１００は、２つの巻取部材（第１の巻取部材１０１、第２の巻取部材１０２）と、支持部材の一例である操作棒１０３と、照明部材の一例であるライト１０４と、取付部材の一例であるフック１０５と、幕部材２０１と、を備えている。
【００２４】
図１においては、第１の巻取部材１０１と第２の巻取部材１０２とを近接させた状態を示しており、第１の巻取部材１０１および第２の巻取部材１０２の少なくともいずれかが、幕部材２０１を巻き取ることによって、幕部材２０１を格納している。
【００２５】
一方、図２においては、操作棒１０３を移動させて、第１の巻取部材１０１と第２の巻取部材１０２とを離間させることによって、第１の巻取部材１０１と第２の巻取部材１０２の少なくともいずれかに巻き取られた幕部材２０１を、第１の巻取部材１０１と第２の巻取部材１０２との間に露出させた状態を示している。
【００２６】
図１および図２において、第１の巻取部材１０１、第２の巻取部材１０２は、いずれも箱形の形をしており、略同一形状である。内部には、図示を省略するリール部を備えており、幕部材２０１を巻き取って収納することができる。
【００２７】
リール部は、ぜんまいばねなどを有しており、幕部材２０１を引き出すときは、ぜんまいばねの反発力に対抗して引き出し、幕部材２０１を格納するときは、ぜんまいばねの力により、幕部材２０１をリールに巻き取ることができる。
【００２８】
したがって、幕部材２０１の寸法を調整することができるため、幕部材２０１の取り付けが容易となる。また、幕部材２０１の寸法をその場で調整することができることにより、幕部材２０１が短すぎて、作業場区画として十分機能しなくなるのを防止することができる。また、幕部材２０１が長すぎて、垂れ下がってしまうのを防止することができる。このように、長さが異なる複数の区画ネットなどを用意する必要がなく、その分、作業コストを削減することができる。
【００２９】
幕部材２０１は、作業場区画に関する情報、具体的には、たとえば、『危険区画』などの文字、記号、図形などを記す。幕部材２０１の材質は、ポリエチレンなど、強度があり雨などにも強く屋外で使用可能な材質であればよい。また、巻き取りが可能な可撓性を備えた材質であればよい。
【００３０】
文字などは、幕部材２０１の片面のみに記されていてもよく、また、幕部材２０１の両面に記されていてもよい。幕部材２０１の両面に記されている場合は、記されている内容は、同じ内容であってもよく、また、別の内容であってもよい。
【００３１】
幕部材２０１は、記される文字などによって複数種類準備されており、その中から、取り付けるのに最適なものを取り替えて、第１の巻取部材１０１・第２の巻取部材１０２に格納することができるようにしてもよい。
【００３２】
支持部材の一例である操作棒１０３は、長手方向の一端を作業員が把持する。したがって、作業員が把持する端部には、把持するためのグリップ１０６を備えている。そして、長手方向の他端で、第１の巻取部材１０１および第２の巻取部材１０２の少なくともいずれかを支持する。すなわち、操作棒１０３は、第１の巻取部材１０１と第２の巻取部材１０２のどちらか一方に取り付けるようにしてもよく、また、第１の巻取部材１０１と第２の巻取部材１０２の両方に取り付けるようにしてもよい。図１および図２においては、操作棒１０３は、第１の巻取部材１０１にのみ取り付けられている。
【００３３】
操作棒１０３は、第１の巻取部材１０１および第２の巻取部材１０２の少なくともいずれかに対して固定されるが、着脱可能に固定されるようにしてもよい。具体的には、たとえば、操作棒１０３は、第１の巻取部材１０１から取り付けたり、取り外したりすることができる。第１の巻取部材１０１の下側には、図示を省略するが、操作棒１０３を取り付ける穴部を有する。そして、操作棒１０３を、第１の巻取部材１０１に取り付けるには、その穴部に操作棒１０３の先端を挿入する。
【００３４】
また、第１の巻取部材１０１の穴部および操作棒１０３の先端にはそれぞれ、らせん状の溝が備えられており、操作棒１０３の先端を、時計回りに回転させながら、穴部にねじ込むことにより、操作棒１０３を第１の巻取部材１０１に固定することができる。反対に反時計回りに回転させることによって、第１の巻取部材１０１の穴部にねじ込まれた操作棒１０３を取り外すことができる。
【００３５】
同様の穴部が、第２の巻取部材１０２も有していてもよい。これにより、操作棒１０３を、第１の巻取部材１０１の穴部か、第２の巻取部材１０２の穴部のいずれかに固定することができる。また、取り付け・取り外しの状況に応じて、いずれかの穴部を選択して、操作棒１０３を固定することができる。また、図示は省略するが、二本の操作棒１０３を、第１の巻取部材１０１の穴部と、第２の巻取部材１０２に、それぞれ挿入して固定し、２名の作業員がそれぞれの操作棒１０３を把持して、取り付け・取り外し作業をおこなうようにしてもよい。
【００３６】
操作棒１０３は、両端の長手方向の長さを可変に調整する長さ調整機構１０７を備えていてもよい。長さ調整機構１０７は、操作棒１０３の長さを、作業場区画装置１００を取り付ける高さに応じて可変に調整する。具体的には、たとえば、既存の伸縮機構により長さを調整してもよく、また、複数の長さの部材を継ぎ足すことによって、所望の長さとするようにしてもよい。また、長さ調整機構１０７を備えずに、複数の長さの操作棒１０３をあらかじめ用意するようにしてもよい。
【００３７】
照明部材の一例であるライト１０４は、第１の巻取部材１０１および第２の巻取部材１０２の側面であって、幕部材２０１の作業場区画に関する情報が記されている面と同じ面に設けられている。ライト１０４は、夜間作業などの場合にＯＮにして、幕部材２０１または自装置の周辺を照らす。また、ライト１０４は、幕部材２０１の文字などが読み取れるように、幕部材２０１側に向けて照射するようにしてもよい。
【００３８】
図示を省略するが、ライト１０４用のバッテリー（乾電池など）は、第１の巻取部材１０１および第２の巻取部材１０２の内部に備えて、その電力を用いて照射する。また、太陽電池などを備えていて、日中に太陽電池によって蓄電した電力を用いて照射するようにしてもよい。
【００３９】
また、ライト１０４には、図示を省略するスイッチを備えており、手動にて、ライト１０４のＯＮ／ＯＦＦをおこなう。また、図示を省略する照度センサを備えて、夜間になった場合に、ライト１０４がＯＮになるようにしてもよい。
【００４０】
取付部材の一例であるフック１０５は、第１の巻取部材１０１および第２の巻取部材１０２の少なくともいずれかに備えていてもよい。フック１０５は、設備の所定箇所に自部材を引っ掛けて保持することができる。
【００４１】
フック１０５は、具体的には、たとえば、鉤状の形状をしており、上側から下方向に、操作棒１０３を動かすことにより、後述する設備の柱部４０１に引っ掛けることができる。また、下側から上方向に操作棒１０３を動かすことにより、設備の柱部４０１から容易に取り外すことができる。
【００４２】
フック１０５は、鉤状の形状には限定されない。操作棒１０３の操作によって、設備の柱部４０１に引っ掛けて保持することができれば、どのような形状や構造であってもよい。
【００４３】
また、取付部材は、磁石部材であってもよい。磁石部材であれば、設備の柱部４０１が、金属製である場合に、当該柱部４０１に容易に取り付けることができ、また、当該柱部４０１からの取り外しも容易である。また、取付部材は、フック１０５と磁石の両方であってもよい。
【００４４】
また、作業場区画装置１００は、第１の巻取部材１０１と第２の巻取部材１０２とを着脱可能に一体化する一体化機構を備えていてもよい。一体化機構は、具体的には、たとえば、マジックテープ（登録商標）２０２などの面ファスナーを、第１の巻取部材１０１と第２の巻取部材１０２が接触する面に設けるようにしてもよい。マジックテープ２０２であれば、第１の巻取部材１０１と第２の巻取部材１０２とを着脱可能に一体化することができる。
【００４５】
また、一体化機構は、マジックテープ２０２に限定されない。具体的には、たとえば、
図示は省略するが、第１の巻取部材１０１と第２の巻取部材１０２の接触面にそれぞれ凹部と凸部と設けて、それらを嵌合することによって、着脱可能に一体化するようにしてもよい。また、図示は省略するが、ボタンなどの部材によって一体化機構を構成するようにしてもよい。
【００４６】
図３は、一体化機構の構成の一例を示す説明図である。図３において、第１の巻取部材１０１と、第１の巻取部材１０１に取り付けられた操作棒１０３を示している。一体化機構における、第１の巻取部材１０１と第２の巻取部材１０２をはがす機構としては、たとえば、第１の巻取部材１０１と第２の巻取部材１０２のいずれかに、飛び出し部３０１を備えていてもよい。
【００４７】
操作棒１０３のグリップ１０６に、飛び出し部３０１を動作させるボタンを設けることにより、作業員の当該ボタンの操作により、飛び出し部３０１を、第１の巻取部材１０１と第２の巻取部材１０２をはがすように飛び出させることができる。当該ボタンと飛び出し部３０１の連動は、たとえば、操作棒１０３内を通して押し出す機構を設けてもよく、また、無線装置などを用いて、制御するようにしてもよい。
【００４８】
飛び出し部３０１が飛び出すことにより、第１の巻取部材１０１と第２の巻取部材１０２とを容易にはがすことができるので、第１の巻取部材１０１と第２の巻取部材１０２との一体化を解除するのに、大きな力は必要としない。したがって、操作棒１０３の長さが長くなったとしても、より円滑に、幕部材場２０１の引き出し作業をおこなうことができる。
【００４９】
（作業場区画装置の取り付け作業例）
図４〜図６は、この発明にかかる実施の形態の作業場区画装置の取り付け作業の手順の一例を示す説明図である。図４は、第２の巻取部材１０２のフック１０５を、設備の柱部４０１に引っ掛けた状態を示している。第２の巻取部材１０２のフック１０５を、設備の柱部４０１に引っ掛けるのは、第１の巻取部材１０１に固定された操作棒１０３を操作することによっておこなう。ここでは、第１の巻取部材１０１と第２の巻取部材１０２が一体化されているので、第１の巻取部材１０１に固定された操作棒１０３を用いて、第２の巻取部材１０２のフック１０５を、設備の柱部４０１に引っ掛けることが容易にできる。
【００５０】
つぎに、第１の巻取部材１０１と第２の巻取部材１０２との一体化を解除し、操作棒１０３を、第１の巻取部材１０１と第２の巻取部材１０２とが離間する方向へ移動させる。そうすることで、幕部材２０１が、第１の巻取部材１０１および第２の巻取部材１０２から引き出されて、第１の巻取部材１０１と第２の巻取部材１０２との間に露出する。図５は、この状態を示している。
【００５１】
そして、さらに操作棒１０３を（図５における向かって左方向へ）動かすことで、第１の巻取部材１０１を所望の位置まで移動させ、反対側の柱部（図示を省略）に到達した場合に、当該柱部にフック１０５で引っかけて固定する。その後、第１の巻取部材１０１から、操作棒１０３を反時計回りに回転させて抜き取って、作業場区画装置１００の取り付け作業は完了する。作業場区画装置１００の設置後は、操作棒１０３を取り外すので、操作棒１０３が第１の巻取部材１０１にぶら下がった状態にはならず、操作棒１０３が邪魔にならない。
【００５２】
図６は、図４および図５とは反対に、向かって左側の柱部４０１から右側の柱部４０１へ幕部材２０１を取り付けた例を示している。作業員６０１は、操作棒１０３を持って、左側の柱部４０１から右側の柱部４０１へ、地上を移動することによって、作業場区画装置１００の取り付け作業をおこなうことができる。したがって、作業員６０１は、設備６００の柱部４０１や梁部４０２に登って作業する必要もなく、また、梯子や脚立を用いる必要もない。このように、作業員６０１が、一人で、安全にかつ迅速に取り付け作業をおこなうことができる。
【００５３】
作業場区画装置１００の取り外し作業は以下の通りである。まず、柱部４０１に保持されている第１の巻取部材１０１に、操作棒１０３を挿入して取り付ける。この場合、第１の巻取部材１０１の代わりに、第２の巻取部材１０２に操作棒１０３を取り付けてもよい。その後の作業は同様である。
【００５４】
つぎに、操作棒１０３を操作して、第１の巻取部材１０１のフック１０５を柱部４０１から取り外す。そして、操作棒１０３を動かして、第１の巻取部材１０１を第２の巻取部材１０２へ近づけるように移動させる。そうすると、第１の巻取部材１０１と第２の巻取部材１０２との距離に応じて、幕部材２０１が、第１の巻取部材１０１および第２の巻取部材１０２に巻かれて格納される。
【００５５】
その後、第１の巻取部材１０１と第２の巻取部材１０２を一体化する。これにより、幕部材２０１は、完全に第１の巻取部材１０１および第２の巻取部材１０２に格納される。そして、操作棒１０３を操作して、第２の巻取部材１０２のフック１０５を柱部４０１から取り外す。そして、作業員６０１は、操作棒１０３をたぐって、一体化した第１の巻取部材１０１と第２の巻取部材１０２を手元に引き寄せ、操作棒１０３を第１の巻取部材１０１から取り外す。これにより、取り外し作業は完了する。取り外し作業も、作業員が一人で、簡易にかつ安全におこなうことができる。
【００５６】
以上説明したように、この発明にかかる実施の形態の作業場区画装置１００は、作業場区画に関する情報を示す幕部材２０１と、幕部材２０１の一端を巻き取る第１の巻取部材１０１と、幕部材２０１の他端を巻き取る第２の巻取部材１０２と、一端を作業員６０１が把持し、他端で、第１の巻取部材１０１および第２の巻取部材１０２の少なくともいずれかを支持する操作棒１０３と、を備え、第１の巻取部材１０１と、第２の巻取部材１０２とが、第１の巻取部材１０１と第２の巻取部材１０２とを近接させ、第１の巻取部材１０１および第２の巻取部材１０２の少なくともいずれかが巻き取ることによって、幕部材２０１を格納し、操作棒１０３を移動させて、第１の巻取部材１０１と第２の巻取部材１０２とを離間させることによって、第１の巻取部材１０１と第２の巻取部材１０２の少なくともいずれかに巻き取られた幕部材２０１を、第１の巻取部材１０１と第２の巻取部材１０２との間に露出させる。
【００５７】
これにより、作業場区画を高所へ取り付けることができる。したがって、クレーンなどの大型の重機と同等の高さに区画を設置することで、大型の重機が、区画を超えることを確実に防止できる。また、大型の重機が、充電部へ近づく虞れをなくすることができる。このように、作業環境を向上させることができる。
【００５８】
また、高所への作業場区画の取り付けおよび取り外しを簡易にかつ効率的におこなうことができ、作業の効率性の向上を図り、作業員の負担軽減を図ることができる。
【００５９】
また、この発明にかかる実施の形態の作業場区画装置１００は、第１の巻取部材１０１および第２の巻取部材１０２の少なくともいずれかに、設備６００の柱部４０１に自部材を保持するフック１０５を備えるので、作業場区画装置１００を、確実にかつ容易に、柱部４０１に取り付けることができる。また、作業場区画装置１００を、容易に柱部４０１から取り外すことができる。
【００６０】
また、この発明にかかる実施の形態の作業場区画装置１００は、第１の巻取部材１０１および第２の巻取部材１０２の少なくともいずれかに、幕部材２０１または自装置１００の周辺を照らすライト１０４を備えるので、夜間の作業時においても、作業場区画装置１００の存在あるいは幕部材２０１に記されている情報を作業員に対して確実に知らしめることができる。
【００６１】
また、この発明にかかる実施の形態の作業場区画装置１００は、第１の巻取部材１０１と第２の巻取部材１０２とを着脱可能に一体化する一体化機構２０２を備えるので、操作棒１０３を第１の巻取部材１０１と第２の巻取部材１０２のいずれか一方に取り付けるだけで、第１の巻取部材１０１と第２の巻取部材１０２の両方を柱部４０１へ容易にかつ確実に取り付けることができる。また、作業場区画装置１００を使用していないときに、確実に幕部材２０１を内部に格納しておくことができる。
【００６２】
また、この発明にかかる実施の形態の作業場区画装置１００は、操作棒１０３が、両端の長手方向の長さを可変に調整する長さ調整機構１０７を備えるので、この長さ調整機構１０７によって操作棒１０３の長さを変更することによって、作業場区画装置１００を所望の高さに取り付けることができる。
【００６３】
また、この発明にかかる実施の形態の作業場区画装置１００は、操作棒１０３が、第１の巻取部材１０１および第２の巻取部材１０２の少なくともいずれかと着脱可能に固定されているので、作業場区画を設置中は、操作棒１０３が邪魔にならない。また、操作棒１０３が風などによって揺れて、充電部などに接触するなどの事故を確実に防止することができる。
【産業上の利用可能性】
【００６４】
以上のように、この発明にかかる作業場区画装置は、作業場を区画する作業場区画装置に有用であり、特に、高所への作業場区画の取り付けおよび取り外しを簡易にかつ効率的におこなうことにより、作業の効率性の向上を図り、作業員の負担軽減を図る作業場区画装置に適している。
【符号の説明】
【００６５】
１００  作業場区画装置
１０１  第１の巻取部材
１０２  第２の巻取部材
１０３  操作棒（支持部材）
１０４  ライト（照明部材）
１０５  フック（取付部材）
１０６  グリップ
１０７  長さ調整機構
２０１  幕部材
２０２  マジックテープ（一体化機構）
３０１  飛び出し部
４０１  （設備の）柱部
６００  設備
６０１  作業員
【図１】
2020172762.tif 000003
【図２】
2020172762.tif 000004
【図３】
2020172762.tif 000005
【図４】
2020172762.tif 000006
【図５】
2020172762.tif 000007
【図６】
2020172762.tif 000008